(57)【要約】【課題】読取対象の画像を考慮した動作モードに従って適切な読取ができる画像読取装置、マルチファンクションプリンタ装置、及び画像読取方法を提供することである。【解決手段】光の３原色夫々を発光する発光手段から画像原稿に光を照射して、受光手段によりその反射光を受光して、画像原稿を読取る画像読取を以下のように行う。即ち、画像読取の動作モードを指定し、その指定された動作モードに従い画像読取を行う際の条件を設定する。次に、その設定条件に従って、発光手段により光の３原色それぞれを順に画像原稿に照射し、画像原稿からの反射光を受光手段により読み取る方法に従う画像読取を行う。或は、その設定条件に従い、発光手段により光の３原色の内、３つの異なる組み合わせの２原色ずつを同時に画像原稿に照射し、画像原稿からの反射光を受光手段により読み取る方法に従う画像読取を行う。或は、これら２つの方法に従う画像読取を２度行う。【選択図】  図７
2010148071.tif 000002
【特許請求の範囲】
【請求項１】
光の３原色それぞれを発光する発光手段から画像原稿に光を照射して、受光手段により前記光の反射光を受光することにより、前記画像原稿を読取る画像読取方法であって、
画像読取の動作モードを指定する指定工程と、
前記指定工程において指定された動作モードに従って画像読取を行う際の条件を設定する設定工程と、
前記設定工程において設定された条件に従って、前記発光手段により光の３原色それぞれを順に前記画像原稿に照射し、前記画像原稿からの反射光を前記受光手段により読み取る原色読取方法に従う画像読取と、前記発光手段により光の３原色の内、３つの異なる組み合わせの２原色ずつを同時に前記画像原稿に照射し、前記画像原稿からの反射光を前記受光手段により読み取る補色読取方法に従う画像読取との内の、少なくともいずれかを行う読取工程とを有することを特徴とする画像読取方法。
【請求項２】
前記画像原稿に対する画像読取を２回、行う場合に、前記画像原稿に対する１回目の画像読取に用いる読取方法と、前記画像原稿に対する２回目の画像読取に対する読取方法とを異ならせて実行するように、読取方法を切り替える切り替え工程をさらに有することを特徴とする請求項１に記載の画像読取方法。
【請求項３】
前記画像原稿に対する２回目の画像読取を行う際の条件を前記画像原稿に対する１回目の画像読取を行う際の条件と異ならせるように再設定を行う再設定工程をさらに有することを特徴とする請求項２に記載の画像読取方法。
【請求項４】
前記画像原稿に対する１回目の画像読取により得られた画像データを解析する解析工程と、
前記解析工程において得られた解析結果を前記再設定工程における再設定に反映させる反映工程とをさらに有することを特徴とする請求項３に記載の画像読取方法。
【請求項５】
前記画像読取の動作モードには、自動で画像処理条件を作成するためのモードである自動加工カラーコピーのモードと、網点原稿を読取る網点原稿読取のモードと、写真原稿を高解像度で読取る写真原稿読取のモードとを含むことを特徴とする請求項１乃至４のいずれか１項に記載の画像読取方法。
【請求項６】
光の３原色それぞれを発光する発光手段から画像原稿に光を照射して、受光手段により前記光の反射光を受光することにより、前記画像原稿を読取る画像読取装置であって、
画像読取の動作モードを指定する指定手段と、
前記指定手段において指定された動作モードに従って画像読取を行う際の条件を設定する設定手段と、
前記設定手段によって設定された条件に従って、前記発光手段により光の３原色それぞれを順に前記画像原稿に照射し、前記画像原稿からの反射光を前記受光手段により読み取る原色読取方法に従う画像読取と、前記発光手段により光の３原色の内、３つの異なる組み合わせの２原色ずつを同時に前記画像原稿に照射し、前記画像原稿からの反射光を前記受光手段により読み取る補色読取方法に従う画像読取との内の、少なくともいずれかを行う読取手段とを有することを特徴とする画像読取装置。
【請求項７】
請求項６に記載の画像読取装置と、
前記画像読取装置によって読取された画像を表す画像データ、或は外部から入力された画像データに基づいて記録媒体に画像を記録する記録手段とを有することを特徴とするマルチファンクションプリンタ装置。
【発明の詳細な説明】
【技術分野】
【０００１】
本発明は画像読取装置、マルチファンクションプリンタ装置、及び画像読取方法に関する。本発明は、特に、画像原稿を光学的に読込む画像読取装置、マルチファンクションプリンタ装置、及び画像読取方法に関する。
【背景技術】
【０００２】
互いに異なる発光波長の光を切り替えて画像読取りを行う画像読取装置としてカラースキャナが知られている。このようなカラースキャナでは、所定方向に移動可能に設けられたキャリッジにライン状の光源とイメージセンサが搭載されている。光源には赤（Ｒ）、緑（Ｇ）、青（Ｂ）の光の３原色に対応した発光波長を照射可能なＬＥＤが用いられる。そして、ライン状の光源の長手方向（主走査方法）と交差する方向（副走査方向）にキャリッジを移動させながらし、画像原稿に光を照射して得られる反射光がライン状のイメージセンサに受光されて画像原稿が読み取られる。また、画像原稿の読み取り方法としては移動読み方法が用いられる。
【０００３】
移動読み方法とは、ＣＩＳユニットを副走査方向に搬送しながら、光源として用いる３つのＬＥＤを切り替えながら読み取る方法である。即ち、赤色ＬＥＤを点灯させてカラー画像のＲ成分データを得、次に緑色ＬＥＤを点灯させてＧ成分データを得、最後に青色ＬＥＤを点灯させてＢ成分データを得る。赤色、緑色、青色ＬＥＤ点灯サイクルを１サイクルとして１ライン分の画像データを得る。ＣＩＳユニットを副走査方向に搬送しながら、この点灯サイクルを繰り返すことで、画像原稿１ページ分の画像データを得る。
【０００４】
さて、赤色、緑色、青色ＬＥＤを順次点灯させる移動読みでは色ずれが発生する。この色ずれを軽減する方法として、特許文献１に開示されているように、電荷の読み出しタイミング間に２色のＬＥＤ光源を点灯させて読み取る方法が知られている。
【０００５】
また、信号対雑音比を改善するために高輝度なＬＥＤを用いるにはコストがかかるという問題がある。この問題を解決するため、特許文献２に開示されているような２色のＬＥＤ光源を同時に点灯させて画像を読み取る方法が知られている。
【０００６】
さらに、特許文献３に記載のように、ネガ原稿やポジ原稿のように原稿の種類に応じて照明光を切り替えることによって、原稿に適切な読取動作を行う画像形成装置も知られている。
【特許文献１】特開２００５−１８４３９０号公報
【特許文献２】特開２００６−１９７５３１号公報
【特許文献３】特許第３７５０４２９号公報
【発明の開示】
【発明が解決しようとする課題】
【０００７】
図９は同じタイミングでは１色のＬＥＤだけを点灯させて画像原稿を読み取る原色読取方法について示す図である。
【０００８】
図９に示すように、この方法によれば、赤色（Ｒ）ＬＥＤ、緑色（Ｇ）ＬＥＤ、青色（Ｂ）ＬＥＤを順に点灯させ、パルス信号ＳＨに同期して各色成分のデータを出力する。赤色ＬＥＤが点灯から消灯に変わり、パルス信号ＳＨがオンとなったタイミングでＲ成分データが出力される。同様に、緑色ＬＥＤ、青色ＬＥＤも点灯から消灯に変わり、パルス信号ＳＨがオンとなったタイミングでそれぞれ、Ｇ成分データ、Ｂ成分データが出力される。
【０００９】
白色原稿を読み取った場合の輝度値を（Ｒ，Ｇ，Ｂ）＝（２５５，２５５，２５５）、シアン色原稿を読み取った場合の輝度値を（Ｒ，Ｇ，Ｂ）＝（０，２５５，２５５）とする。
【００１０】
図９に示すようなタイミングで原稿が白色からシアン色に変わるエッジを読み取った場合、ライン（ａ）の出力データは（Ｒ，Ｇ，Ｂ）＝（２５５，２５５，２５５）、ライン（ｂ）の出力データは（Ｒ，Ｇ，Ｂ）＝（０，２５５，２５５）となる。ライン（ａ）において、赤色ＬＥＤの発光タイミングでは原稿の色は白なので、Ｒ成分の輝度出力値は２５５となる。また、緑色ＬＥＤ、青色ＬＥＤの発光タイミングでは原稿の色はシアンなのでＧ成分の輝度出力値は２５５、Ｂ成分の輝度出力値も２５５となる。
【００１１】
図１０はＬＥＤを２色同時に点灯（２原色の同時点灯）させて画像原稿を読み取る補色読取方法について示す図である。
【００１２】
図９と同様のタイミングで原稿が白色からシアン色に変わるエッジを図１０に示す補色読取方法で読み取った場合の輝度出力値は次のようになる。即ち、ライン（ｃ）の出力データは（ＲＧ，ＧＢ，ＢＲ）＝（５１０，５１０，２５５）、ライン（ｄ）の出力データは（ＲＧ，ＧＢ，ＢＲ）＝（２５５，５１０，２５５）となる。読み取ったデータを式（１）によってＲＧＢ各色成分の輝度値に変換すると、夫々、ライン（ｃ）は（Ｒ，Ｇ，Ｂ）＝（１２８，２５５，１２８）、ライン（ｄ）は（Ｒ，Ｇ，Ｂ）＝（０，２５５，２５５）となる。
【００１３】
【数１】
2010148071.tif 000003
【００１４】
得られたライン（ａ）〜（ｄ）の値を用いて、式（２）によってＣＴＦ（contrast transfer function）を算出すると、原色読取方法によればＣＴＦ＝１８％、補色読取方法によればＣＴＦ＝７％となる。
【００１５】
【数２】
2010148071.tif 000004
【００１６】
なお、式（２）においてＷpは最大輝度、Ｂpは最小輝度である。
【００１７】
算出したＣＴＦを比較すると分かるように、原色読取方法により得られたＣＦＴ値に比べて、補色読取方法により得られたＣＴＦ値のほうが小さくなり、エッジがぼけた画像として読み取られる。原色読取方法と補色読取方法とでは、副走査方向の読取方法が変わるため、副走査方向のエッジ部でＣＴＦの値が変わりやすくなる。
【００１８】
また、図１１に示すような２色ＬＥＤ時分割点灯方法により画像原稿を読み取る場合についても、上記の２色同時点灯による画像原稿読取の場合と同様のことが言える。
【００１９】
このように、原色読取方法と補色読取方法とでは、エッジ部の読取再現性が異なる。一方、現実の画像読取では種々の画像を読取る場合がある。このため、読取画像を形成するにあたり、エッジの再現性が高い場合に適した読取方法と、エッジの再現性が低くても良い場合に適した方法はあるにも係わらず、従来の装置ではいずれかの方法を用いた読取しかできなかった。
【００２０】
本発明は上記従来例に鑑みてなされたもので、読取対象の画像を考慮した動作モードに従って適切な読取ができる画像読取装置、マルチファンクションプリンタ装置、及び画像読取方法を提供することを目的としている。
【課題を解決するための手段】
【００２１】
上記目的を達成するために本発明の画像読取方法は、以下のような工程からなる。
【００２２】
即ち、光の３原色それぞれを発光する発光手段から画像原稿に光を照射して、受光手段により前記光の反射光を受光することにより、前記画像原稿を読取る画像読取方法であって、画像読取の動作モードを指定する指定工程と、前記指定工程において指定された動作モードに従って画像読取を行う際の条件を設定する設定工程と、前記設定工程において設定された条件に従って、前記発光手段により光の３原色それぞれを順に前記画像原稿に照射し、前記画像原稿からの反射光を前記受光手段により読み取る原色読取方法に従う画像読取と、前記発光手段により光の３原色の内、３つの異なる組み合わせの２原色ずつを同時に前記画像原稿に照射し、前記画像原稿からの反射光を前記受光手段により読み取る補色読取方法に従う画像読取との内の、少なくともいずれかを行う読取工程とを有することを特徴とする。
【００２３】
また他の発明によれば、光の３原色それぞれを発光する発光手段から画像原稿に光を照射して、受光手段により前記光の反射光を受光することにより、前記画像原稿を読取る画像読取装置であって、画像読取の動作モードを指定する指定手段と、前記指定手段において指定された動作モードに従って画像読取を行う際の条件を設定する設定手段と、前記設定手段によって設定された条件に従って、前記発光手段により光の３原色それぞれを順に前記画像原稿に照射し、前記画像原稿からの反射光を前記受光手段により読み取る原色読取方法に従う画像読取と、前記発光手段により光の３原色の内、３つの異なる組み合わせの２原色ずつを同時に前記画像原稿に照射し、前記画像原稿からの反射光を前記受光手段により読み取る補色読取方法に従う画像読取との内の、少なくともいずれかを行う読取手段とを有することを特徴とする画像読取装置を備える。
【００２４】
さらに他の発明によれば、上記記載の画像読取装置と、前記画像読取装置によって読取された画像を表す画像データ、或は外部から入力された画像データに基づいて記録媒体に画像を記録する記録手段とを有することを特徴とするマルチファンクションプリンタ装置を備える。
【発明の効果】
【００２５】
従って本発明によれば、読取対象の画像に基づいた動作モードに従って適切な読取方法を用いた読取ができるので、良好な画像読取を行うことができるという効果がある。これにより、複数の読取方法それぞれの長所を生かした画像読取が可能になる。
【発明を実施するための最良の形態】
【００２６】
以下添付図面を参照して本発明の好適な実施例について、さらに具体的かつ詳細に説明する。なお、既に説明した部分には同一符号を付し重複説明を省略する。
【００２７】
なお、この明細書において、「記録」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００２８】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００２９】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００３０】
またさらに、「記録要素」とは、特にことわらない限り吐出口ないしこれに連通する液路およびインク吐出に利用されるエネルギーを発生する素子を総括して言うものとする。
【００３１】
最初に共通実施例として用いるマルチファンクションプリンタ装置（以下、ＭＦＰ装置）の構成について説明する。
【００３２】
＜ＭＦＰ装置＞
図１は本発明の代表的な実施例であるＭＦＰ装置１００の概観斜視図である。
【００３３】
ＭＦＰ装置は、接続されたホスト（不図示）からの画像データに基づいて、記録用紙などの記録媒体に画像を記録する以外に、メモリカードなどに格納された画像データに基づいた記録や画像原稿を読取って複写することができる。
【００３４】
図１において、（ａ）は原稿カバー１０３が閉じられた状態を示しており、（ｂ）は記録媒体の載置トレー１０１、排紙トレー１０２、及び原稿カバー１０３が開けられた状態を示している。
【００３５】
また、コンタクトイメージセンサ（ＣＩＳ）ユニットを備える読取部８は画像原稿を読取り、Ｒ成分、Ｇ成分、Ｂ成分のアナログ輝度信号を出力する。カードインタフェース９は、例えば、デジタルスチルカメラ（不図示）で撮影された画像ファイルを記録したメモリカードなどを挿入して、操作部４の所定の操作に従い、そのメモリカードから画像データを読み込むのに使用される。また、ＭＦＰ装置１００にはＬＣＤ１１０のような表示部が設けられている。ＬＣＤ１１０は操作部４による設定内容の表示や機能選択メニューの表示のために用いられる。
【００３６】
図２は図１で示したＭＦＰ装置の上部に備え付けられた画像読取装置の断面図である。
【００３７】
図２に示すように、画像読取装置２００は本体部２１０と読取対象となる原稿２２０を押さえつけ外部からの光を遮光する圧板２３０とから構成される。圧板２３０は原稿カバー１０３の裏面にセットされている。本体部２１０には光学ユニット２４０、光学ユニット２４０と電気的に接続された回路基板２５０、光学ユニット２４０を走査させる際のレールとなるスライディングロッド２６０、原稿台ガラス２７０が備えられる。光学ユニット２４０には原稿２２０に光を照射し、その反射光を受光して電気信号に変換するするコンタクトイメージセンサ（ＣＩＳ）ユニット３００が内蔵される。画像読取の際には原稿台ガラス２７０上に置かれた原稿２２０を光学ユニット２４０が矢印Ｂの方向（副走査方向）に走査することにより原稿２２０に記録された画像の読取を行う。
【００３８】
図３はコンタクトイメージセンサ（ＣＩＳ）ユニット３００の詳細な構造を示す側断面図である。
【００３９】
ＣＩＳユニット３００は、図３に示すように、赤色光を発光する赤色ＬＥＤ３０３と緑色光を発光する緑色ＬＥＤ３０４と青色光を発光する青色ＬＥＤ３０５とを備えている。原稿読取時には１ライン毎に各色ＬＥＤを時分割で点灯させ、点灯した光を導光体３０２を通して均一に原稿に対し照射しその反射光をセルフォックレンズ３０１で画素毎に集光する。その光をＣＩＳユニット内の光電変換素子（不図示）上に結像することによって、受光光を電気信号に変換する。このようにして、ＲＧＢ各色成分の色信号からなる１ライン分の画像信号を出力する。ＣＩＳユニット３００を副走査方向に移動させることにより原稿全面の画像読取を行う。なお、セルフォックレンズ３０１の各セルの配列方向を示す矢印Ａの方向を主走査方向という。主走査方向と副走査方向とは互いに直交している。図２では、主走査方向は紙面に対して垂直方向となる。
【００４０】
図４は画像読取装置の制御回路の構成を示すブロック図である。
【００４１】
なお、図４において、既に図１〜図３において説明した構成要素には同じ参照番号を付し、その説明は省略する。
【００４２】
ＣＩＳユニット３００はＬＥＤ駆動回路４０３において１ライン毎に各色のＬＥＤ３０３〜３０５を切り替えて点灯させることにより、線順次にカラー画像を読み取る。ＬＥＤ３０３〜３０５は原稿への照射光量を変化させることが可能な光源である。また、ＬＥＤ駆動回路４０３はＬＥＤ３０３〜３０５を任意に点灯させることが可能である。
【００４３】
即ち、ＬＥＤ３０３〜３０５を１つずつ順次点灯させることも、２つずつ順次点灯させることも、場合によっては３つ全て点灯させることも可能である。増幅器（ＡＭＰ）４０４はＣＩＳユニット３００より出力された信号を増幅し、Ａ／Ｄ変換回路４０５はその増幅された電気信号をＡ／Ｄ変換して、例えば、各画素各色成分１６ビットのデジタル画像データを出力する。 画像処理部６００は、Ａ／Ｄ変換回路４０５によって変換されたデジタル画像データを処理する。インタフェース制御回路４０６は画像処理部６００から画像データを読み込んで、外部装置４１２との間で制御データの授受や画像データの出力を行う。また、画像処理部６００からの画像データは画像記録部にも出力することができる。外部装置４１２とは、例えば、パーソナルコンピュータ（不図示）などである。
【００４４】
画像記録部７００は、インタフェース制御回路４０６からの画像データを画素毎に「記録する」「記録しない」の２値データに変換し、記録媒体に記録剤を用いて画像を記録する。画像記録部７００には、例えば、インクジェットプリンタや電子写真方式を用いたレーザビームプリンタ、或は昇華型プリンタなどを用いることができる。これらのプリンタについては公知なので、ここではその詳細な説明は省略する。
【００４５】
以上のような一連の処理は、動作内容によって２種類に大別できる。
【００４６】
まず、ＭＦＰ装置単体としてコピー動作や画像読取（スキャン）動作を行う場合について述べる。この場合、装置利用者は操作部４によって必要な指示を行なう。
【００４７】
図５は操作部４の詳細な構成例を示す図である。ここで、図５を参照して、操作部４の構成について説明する。
【００４８】
操作部４からの出力信号はＣＰＵ４０９の入力ポートに接続されている。ボタン５０１は電源キーである。ボタン５０２は機能選択ボタンである。ボタン５０２の押下回数によって動作可能な機能内容がＬＣＤ１１０に表示される。表示された機能内容に従って操作を加え、決定ボタン５０３を押下すればその内容がＲＡＭ４１１にセットされる。ボタン５０４はキャンセルボタンである。ボタン５０５を押下するとＲＡＭ４１１の設定に従いカラーコピー動作を開始する。ボタン５０６を押下するとＲＡＭ４１１の設定に従いモノクロコピー動作を開始する。ボタン５０７では枚数指定や濃度の指定等を実施する際に押下する。ボタン５０８はリセットボタンであり、スキャンや印刷をキャンセルする際に押下することが可能である。
【００４９】
再び図４を参照して説明する。
【００５０】
前述のような操作部４からの動作指示は、マイクロコンピュータ形態のＣＰＵ４０９により制御される。その制御はＲＯＭ４１０に格納された処理プログラム（後述の図６における“制御プログラム６７０”）をＣＰＵ４０９が読み出し、ＲＡＭ４１１を作業領域として用いて実行される。さらに、図４において、４０７は、例えば、水晶発振器などの基準信号発振器（ＯＳＣ）、４０８はＣＰＵ４０９の設定に応じて基準信号発振器４０７の出力を分周して動作の基本となる各種タイミング信号を発生するタイミング信号発生回路である。
【００５１】
パーソナルコンピュータ（外部装置４１２）からの指示に基づいて動作する場合には、コピー、画像読取（スキャン）等の指示がパーソナルコンピュータからを介して、ＣＰＵ４０９に発令される。以降の動作はＭＦＰ装置単体としてコピーや画像読取（スキャン）動作を行う場合と同じである。
【００５２】
ＬＥＤ４１４はＬＣＤ１１０のバックライト光源となるＬＥＤであり、タイミング信号発生回路４０８から出力される点灯信号により点灯制御される。
【００５３】
次に、画像処理部６００の詳細について述べる。
【００５４】
図６は画像処理部６００の詳細な構成を示すブロック図である。
【００５５】
Ａ／Ｄ変換回路４０５によって変換されたデジタル画像データは、シェーディング補正部６１０に入力される。シェーディング補正部６１０では、画像読取装置２００の原稿台ガラス２７０に貼り付けられた指標板（不図示）の裏面に貼り付けられた標準白色板（不図示）を読み取ることによりシェーディング補正を行う。
【００５６】
また、シェーディング補正に用いるデータは、ＲＯＭ４１０に格納されているシェーディングデータ６１１を用いる。シェーディング補正を経たデジタル画像データは、プレガンマ変換部６２０に入力される。ここでは視覚的に好適な輝度分布となるようにガンマ補正を行う。また、プレガンマ変換部６２０で用いるデータは、ＲＯＭ４１０に格納されているプレガンマデータ６２１を用いる。プレガンマ変換を経たデジタル画像データは色補正処理部６３０に入力され、プレガンマ変換を経たデジタル画像データを、好適な色彩となるように変換処理する。色補正処理部６３０で用いるデータは、ＲＯＭ４１０に格納されている色補正データ６３１を用いる。
【００５７】
色補正処理部６３０を経たデジタル画像データはフィルタ処理部６４０へ入力される。フィルタ処理部６４０では、デジタル画像データに対してエッジ強調やノイズリダクションなどのフィルタ処理が行われる。このフィルタ処理で用いられるデータは、ＲＯＭ４１０に格納されているフィルタデータ６４１を用いる。フィルタ処理部６４０を経たデジタル画像データは、ポストガンマ変換部６５０へ入力される。ポストガンマ変換部６５０では、入力されたデジタル画像データの輝度特性を用途に応じて再度微調整する。ポストガンマ変換部６５０で用いるデータは、ＲＯＭ４１０に格納されているポストガンマデータ６５１を用いる。
【００５８】
ポストガンマ変換部６５０を経たデジタル画像データは、解析・補正処理部６９０へ出力される。解析・補正処理部６９０では読み取った画像から原稿を切出すための原稿端を検出するための解析や、原稿が網点原稿、銀塩写真、文書原稿、手書き原稿などの原稿の種類に従って解析とその解析結果に基づく補正や加工を行う。補正加工された画像はインタフェース制御回路４０６へ出力される。これらのデータのＲＯＭ４１０から各処理部へのセットは、制御プログラム６７０の内容をＣＰＵ４０９が読み出して実行することで実現する。
【００５９】
また、補色反転部６６０では、補色読みが指示された際にのみ使用される画像処理部であり、その処理もＲＯＭ４１０に格納されている制御プログラム６７０で制御される。その際用いられる補色反転用データはＲＯＭ４１０に格納されている補色反転データ６６１を用いる。さらにまた、この制御プログラムは、ＬＥＤ駆動回路４０３の動作も制御するプログラムである。
【００６０】
次に、以上の構成のＭＦＰ装置において実行される画像読取のいくつかの実施例について詳細に説明する。
【実施例１】
【００６１】
ここでは、画像原稿を複数回読み取る場合に、読取方法を切り替えて画像読取を行う処理について説明する。
【００６２】
図７は画像原稿読取処理を示すフローチャートである。
【００６３】
まず、ステップＳ１では、ユーザが操作部４からＭＦＰ装置の動作、例えば、“自動加工カラー”コピーを設定する。次に、ステップＳ２では、指定された動作に基づいて動作モード番号を生成し、ステップＳ３では、動作モード番号からＲＯＭ４１０に格納された読取方法テーブルを参照する。
【００６４】
読取方法テーブルは動作モード番号を目次として格納された読み取りに必要な詳細設定の情報を格納したテーブルである。
【００６５】
図８は読取方法テーブルの内容の一例を示す図である。
【００６６】
図８に示されるように、このテーブルは「動作モード番号」をインデックスとし、スキャンの回数と読取方法（原色読取方法、補色読取方法）の情報をもつ。加えて、読取解像度、蓄積時間、モータ速度テーブル情報を格納しても良い。図８では、原色読取方法は「原色」、補色読取方法は「補色」と表記されている。
【００６７】
また、図８において、動作モード番号“１”は自動で画像処理条件を作成するための動作モードで、補正加工条件を作成するための１回目の読み取りと、１回目で決定した補正加工の情報を用い読み取り画像を補正する２回目の読み取りを行うことを示している。
【００６８】
動作モード番号“２”は１回のみの読み取りであり、読取方法は原色読取方法であることを示している。動作モード番号“９９”は自動で読取方法と画像処理条件を作成するための動作モードである。このモードは、読取方法と補正加工条件を作成するための１回目の読み取りと１回目で決定した読取方法と補正加工の情報を用い読取画像を補正する２回目の読み取りとを行うことを示している。
【００６９】
ちなみにここで説明している“自動加工カラーコピー”モードは動作モード番号は“１”であり、この場合は２回の読取が実行される。
【００７０】
ステップＳ４では得られた読取方法に基づいて読取の詳細条件をＣＰＵ４０９に設定する。ステップＳ５では、ステップＳ４での設定に従い、現在考慮している“自動加工カラーコピー”モードでは、ＲＧ、ＧＢ、ＢＲの組み合わせで光源が点灯する補色読取を行う。これにより、読取時におけるＣＴＦが低くなり、読取時に発生するモアレや偽色を低減させることができる。これにより原稿を微視的に解析し加工・補正の程度を演算する精度が向上する。
【００７１】
この解析には、原稿の該当画素が、下地、文字部、網点部、或は、階調のある自然画であるかの属性を判定するための解析が含まれる。また、原稿の持つ色情報の解析も行い、この結果は、カラーバランスの補正や彩度補正にもちいる。また、エッジ解析の結果は、原稿の読取特性を知り読取方法の決定や画像処理内容を決定するために用いる。
【００７２】
また、解析結果の一部または全部は、印刷原稿、写真原稿、新聞原稿など原稿の種類を判別するのに用いられる。
【００７３】
ステップＳ６では、原稿の読取を再度行うかどうかを判断する。この判断は、読取方法テーブルを参照して得られた情報に基づいている。ここで、再読取が必要と判断されたなら、処理はステップＳ７に進むが、再読取不要と判断されたなら、処理はステップＳ１０に進む。なお、現在考慮している“自動加工カラーコピー”モードでは再度読取が必要なので、処理はステップＳ７に進む。
【００７４】
ステップＳ７では、再度読取における読取の詳細条件の設定を変更する（再設定が）必要があるかどうかを調べる。ここで、設定変更が必要であると判断されたなら、処理はステップＳ８に進み、再度読取における読取方法に従い、かつ、１回目の画像読取から得られた解析結果を反映した読取の詳細条件をＣＰＵ４０９に再設定する。現在考慮している“自動加工カラーコピー”モードでは再度読取はＣＴＦの高い原色読取方法での読取となるので、読取の詳細条件の設定変更が必要である。従って、処理はステップＳ８に進んで、設定変更を行う。これに対して、設定変更が必要ではないと判断されたなら、処理はステップＳ９に進む。
【００７５】
ステップＳ９では、設定された詳細条件に従って再度の読取を行う。現在考慮している“自動加工カラーコピー”モードでは、原色読取方法に従う読取を行う。これにより、読取時におけるＣＴＦが高くなり、解像感を向上させることができる。これにより原稿を巨視的に見たときの好ましさが向上する。
【００７６】
最後に、ステップＳ１０では、原稿を読み取って得られた画像データを画像処理部６００から出力する。現在考慮している、“自動加工カラーコピー”モードでは画像データを画像記録部７００へ出力する。
【００７７】
従って以上説明した実施例に従えば、“自動加工カラーコピー”モードでは、１回目の画像読取で得られた画像データを微視的に解析し、その解析結果に基づいて、２回目の画像読取を行うので良好な画像を読取ることができる。
【実施例２】
【００７８】
この実施例では、「網点原稿」を読取る例について説明する。なお、ここでは、この実施例に特徴的な処理についてのみ説明し、実施例１と同じ処理については、その説明を省略する。なお、この実施例の処理でも図７のフローチャートと図８の読取方法テーブルを参照する。
【００７９】
ステップＳ１では、ユーザが操作部４からＭＦＰ装置の動作モードとして、“網点原稿読取”モードを指定する。ステップＳ２では、指定された動作に基づいて動作モード番号を生成し、ステップＳ３では、動作モード番号からＲＯＭ４１０に格納された読取方法テーブルを参照する。ここでは、動作モード番号は“１０”となる。
【００８０】
動作モード番号“１０”は図８に示されているように、網点原稿を読み取るためのモードで、補色読取方法で１回の原稿読取を行う。
【００８１】
ステップＳ４では、得られた読取方法に基づいて読取の詳細条件をＣＰＵ４０９に設定する。ステップＳ５では、ステップＳ４での設定に従い、現在考慮している“網点原稿読取”モードでは、ＲＧ、ＧＢ、ＢＲの組み合わせで光源が点灯する補色読取を行う。これにより、読取時におけるＣＴＦが低くなり、読取時に発生するモアレや偽色を低減させることができる。
【００８２】
ステップＳ６では、再読取が必要がどうかを調べる。ここで、現在考慮している“網点原稿読取”モードでは原稿読取は１回なので、再読取は必要ないと判断され、処理はステップＳ１０に進み、原稿を読取って得られた画像データを画像処理部６００から画像記録部７００へ出力する。
【００８３】
従って以上説明した実施例に従えば、“網点原稿読取”モードの網点原稿の画像読取を補色読取方法により１回行うことにより、ＣＴＦが低く、モアレや偽色が低減した画像データを得ることができる。
【００８４】
なお、読取解像度に従って、原色読取方法と補色読取方法とを切り替えるようにしても良い。例えば、充分に高解像度（例えば、６００ｄｐｉ以上）では原色読取方法を、１５０ｄｐｉ以上６００ｄｐｉ未満では補色読取方法を、１５０ｄｐｉ未満では原色読取方法を用いることにより、特定の読取解像度でのみ補色読取を行うように設定しても良い。また、原稿の網点の周期性より読取方法を切り替える閾値を変化させるようにするとモアレと解像感とを両立させた画像読取が実現できる。
【実施例３】
【００８５】
この実施例では、「写真原稿」を読取る例について説明する。なお、ここでは、この実施例に特徴的な処理についてのみ説明し、実施例１〜２と同じ処理については、その説明を省略する。なお、この実施例の処理でも図７のフローチャートと図８の読取方法テーブルを参照する。
【００８６】
ステップＳ１では、ユーザが操作部４からＭＦＰ装置の動作モードとして、“写真原稿読取”モードを設定する。ステップＳ２では、指定された動作に基づいて動作モード番号を生成し、ステップＳ３では、動作モード番号からＲＯＭ４１０に格納された読取方法テーブルを参照する。ここでは、動作モード番号は“３”となる。
【００８７】
動作モード番号は“３”は図８に示されているように、写真原稿を高解像度で読み取るためのモードで、原色読取方法で１回の原稿読取を行う。
【００８８】
ステップＳ４では、得られた読取方法に基づいて読取の詳細条件をＣＰＵ４０９に設定する。ステップＳ５では、ステップＳ４での設定に従い、現在考慮している“写真原稿読取”モードでは、Ｒ、Ｇ、Ｂの組み合わせで光源が点灯する原色読取を行う。これにより、読取時におけるＣＴＦが高く、解像感において好ましい画像を読み取ることができる。
【００８９】
ステップＳ６では、再読取が必要がどうかを調べる。ここで、現在考慮している“写真原稿読取”モードでは原稿読取は１回なので、再読取は必要ないと判断され、処理はステップＳ１０に進み、原稿を読取って得られた画像データを画像処理部６００から画像記録部７００へ出力する。
【００９０】
従って以上説明した実施例に従えば、“写真原稿読取”モードの画像読取を原色読取方法により１回行うことにより、ＣＴＦが高く、解像感において好ましい写真原稿の画像データを得ることができる。
【００９１】
なお、実施例１〜３において言及したＲＯＭ４１０については、データの書き換えを可能とするためにＥＥＰＲＯＭを用いる。また、書き換え不要なものについては書き換え不能なＲＯＭに格納し、書き換えが必要なものについてはＥＥＰＲＯＭに格納するようにメモリの種類を使い分けても良い。またさらに、ＥＥＰＲＯＭの他に、ＥＰＲＯＭやＦｅＲＡＭなどの書き換え可能な不揮発性メモリを用いても良い。
【００９２】
また、実施例１〜３では、原稿からの反射光を用いて画像を読取る場合を例に説明したが、本発明はこれによって限定されるものではなく、透過光を用いた画像読取りを行っても良い。
【００９３】
さらに、実施例１〜３では、ＣＩＳにおける発光がＲＧＢ３色である例について説明したが、ＲＧＢと異なる分光特性の光源を追加しても良い。またその際の発光パターンは全部または一部の組み合わせを使うと良い。
【００９４】
以上の実施例は、特にインクジェット記録方法の中でも、インク吐出のために熱エネルギーを発生する手段（例えば電気熱変換素子等）を備え、その熱エネルギーによりインクの状態変化を生起させる方法を用いて記録の高密度化、高精細化が達成できる。
【図面の簡単な説明】
【００９５】
【図１】本発明の代表的な実施例であるマルチファンクションプリンタ（ＭＦＰ）装置の概観斜視図である。
【図２】図１で示したＭＦＰ装置の上部に備え付けられた画像読取装置の断面図である。
【図３】コンタクトイメージセンサ（ＣＩＳ）ユニットの詳細な構造を示す側断面図である。
【図４】画像読取装置の制御回路の構成を示すブロック図である。
【図５】操作部の詳細な構成例を示す図である。
【図６】画像処理部の詳細な構成を示すブロック図である。
【図７】画像原稿読取処理を示すフローチャートである。
【図８】読取方法テーブルの内容の一例を示す図である。
【図９】同じタイミングでは１色のＬＥＤだけを点灯させて画像原稿を読み取る原色読取方法について示す図である。
【図１０】ＬＥＤを２色同時に点灯させて画像原稿を読み取る補色読取方法について示す図である。
【図１１】２色ＬＥＤ時分割点灯方法により画像原稿を読み取る方法について示す図である。
【符号の説明】
【００９６】
１００  ＭＦＰ装置
１０１  載置トレー
１０２  排紙トレー
１０３  原稿カバー
１１０  ＬＣＤ
２００  画像読取装置
３００  ＣＩＳユニット
３０１  セルフォックレンズ
３０２  導光体
３０３  赤色ＬＥＤ
３０４  緑色ＬＥＤ
３０５  青色ＬＥＤ
４０３  ＬＥＤ駆動回路
４０４  増幅器（ＡＭＰ）
４０５  Ａ／Ｄ変換回路
４０６  インタフェース制御回路
４１２  外部装置
６００  画像処理部
６１０  シェーディング補正部
６２０  プレガンマ変換部
６３０  色補正処理部
６４０  フィルタ処理部
６５０  ポストガンマ変換部
６６０  補色反転部
６７０  制御プログラム
６９０  解析・補正処理部
７００  画像記録部
【図１】
2010148071.tif 000005
【図２】
2010148071.tif 000006
【図３】
2010148071.tif 000007
【図４】
2010148071.tif 000008
【図５】
2010148071.tif 000009
【図６】
2010148071.tif 000010
【図７】
2010148071.tif 000011
【図８】
2010148071.tif 000012
【図９】
2010148071.tif 000013
【図１０】
2010148071.tif 000014
【図１１】
2010148071.tif 000015